(57)【要約】      （修正有）【課題】シャッターがコネクタの嵌合凹部の底面へ摺動でき、嵌合凹部を有する絶縁本体の高さが減少するシャッター付きコネクタの提供。【解決手段】電気コネクタは、開口を有する嵌合凹部１３が形成される絶縁本体１と、導電端子２と、シャッター４と、弾性部材３とを含む。前記シャッターは、前記絶縁本体の嵌合凹部の開口に位置する第１位置と、前記嵌合凹部の底面に位置する第２位置との間で摺動できる。前記弾性部材は、嵌合凹部内に配置され、前記絶縁本体とシャッターとの一方に保持される保持部と、前記シャッターに対して斜めに延在し、前記絶縁本体とシャッターとの他方に支持される支持部と、前記保持部及び支持部を連接する弾性部とを含み、前記支持部が前記保持部に対して回動することにより、前記弾性部が前記シャッターに押圧力を加え、該押圧力によりシャッターを第２位置から第１位置の向きに摺動するように付勢する。【選択図】図１
0003114955.tif 000002
【実用新案登録請求の範囲】
【請求項１】
底壁と、該底壁から上向きに延在する平行な一対の側壁とを有し、一対の側壁の間に相手コネクタを収容するのに用いられ、開口を有する嵌合凹部が形成される絶縁本体と、
前記嵌合凹部に露出するコンタクト部を有し、前記絶縁本体内に装着される導電端子と、
前記絶縁本体の嵌合凹部の開口に位置する第１位置と、前記嵌合凹部の底面に位置する第２位置との間で摺動でき、前記第１位置に位置する際に前記開口が閉じられ、前記第２位置に位置する際に前記導電端子のコンタクト部が露出され、相手コネクタの導電端子への電気的な接続を達成できるシャッターと、
前記絶縁本体の嵌合凹部内に配置され、前記絶縁本体とシャッターとの一方に保持される保持部と、前記シャッターに対して斜めに延在し、前記絶縁本体とシャッターとの他方に支持される支持部と、前記保持部及び支持部を連接する弾性部とを含み、前記支持部が前記保持部に対して回動することにより、前記弾性部が前記シャッターに押圧力を加え、該押圧力によりシャッターを第２位置から第１位置の向きに摺動するように付勢する弾性部材と
を含むことを特徴とするシャッター付きコネクタ。
【請求項２】
前記シャッター付きコネクタは前記絶縁本体を覆う金属シェルを有し、該金属シェルに前記シャッターが絶縁本体から離脱することを防止できるのに用いられる当接部が形成されることを特徴とする請求項１に記載のシャッター付きコネクタ。
【請求項３】
前記絶縁本体の側壁には、前記嵌合凹部に連通する収容溝が形成され、前記シャッターは、前記収容溝内に浮動して収容される耳部を有し、前記当接部が前記耳部に当接できることを特徴とする請求項２に記載のシャッター付きコネクタ。
【請求項４】
前記絶縁本体には、前記側壁に連接する端壁と、前記底壁から嵌合凹部に上向きに延在して形成される少なくとも一つの舌片と、が設けられ、前記導電端子が前記舌片に装着されることを特徴とする請求項１に記載のシャッター付きコネクタ。
【請求項５】
前記シャッターは、前記第１位置と第２位置との間で摺動する際に、前記支持部が前記絶縁本体或はシャッターに沿って摺動し、前記シャッターが前記第２位置に位置する際に、前記支持部は前記シャッターと前記嵌合凹部の底面との間に位置することを特徴とする請求項１記載のシャッター付きコネクタ。
【請求項６】
前記弾性部材の弾性部は、ヘリカル状を呈し、ヘリカルの延在する方向がシャッターの摺動方向と同じでなく、前記保持部と支持部とが前記弾性部からそれぞれ延在することを特徴とする請求項１記載のシャッター付きコネクタ。
【請求項７】
前記保持部は、前記弾性部の末端から延在して形成する押圧アームであり、前記絶縁本体の底壁に形成される溝穴を押圧し、前記支持部は前記シャッターを押圧することを特徴とする請求項６記載のシャッター付きコネクタ。
【請求項８】
前記保持部の前記弾性部と遠離する一端に折曲部が形成され、前記溝穴に前記折曲部に対応する階段部が形成され、該階段部の頂面から絶縁本体の底面までの距離は、前記溝穴の底面から絶縁本体の底面までの距離より大きいことを特徴とする請求項７記載のシャッター付きコネクタ。
【請求項９】
前記支持部は略コ形状を呈し、前記弾性部の中部に位置し、前記シャッターには、前記支持部が摺動するのに用いられる摺動通道が形成されることを特徴とする請求項７記載のシャッター付きコネクタ。
【請求項１０】
前記弾性部材は、前記絶縁本体に位置する軸を有し、該軸が前記弾性部を通過することを特徴とする請求項６記載のシャッター付きコネクタ。
【請求項１１】
前記軸は、前記絶縁本体に一体に形成され、一端が前記絶縁本体に連接し、他端が前記嵌合凹部に片持ち梁を呈することを特徴とする請求項１０に記載のシャッター付きコネクタ。
【請求項１２】
前記絶縁本体の側壁には、前記嵌合凹部に連通する軸孔が形成され、前記弾性部材の軸が前記軸孔に支持されることを特徴とする請求項１０に記載のシャッター付きコネクタ。
【請求項１３】
前記絶縁本体には、金属シェルが覆われ、前記金属シェルが前記軸孔の前記側壁の外面に形成される開口を覆うことを特徴とする請求項１２記載のシャッター付きコネクタ。
【請求項１４】
前記弾性部材は、弾性片であり、該弾性片の一端が前記絶縁本体とシャッターとの一方に保持され、他端が前記絶縁本体とシャッターとの他方に保持され、該弾性片は、前記嵌合凹部に斜めに延在することを特徴とする請求項１記載のシャッター付きコネクタ。
【請求項１５】
底壁と、該底壁から上向きに延在する平行な一対の側壁とを有し、一対の側壁の間に相手コネクタを収容するのに用いられ、開口を有する嵌合凹部が形成される絶縁本体と、
前記嵌合凹部に露出するコンタクト部を有し、前記絶縁本体内に装着される導電端子と、
前記絶縁本体の嵌合凹部の開口に位置する第１位置と、前記嵌合凹部の底面に位置する第２位置との間で摺動でき、前記第１位置に位置する際に前記開口が閉じられ、前記第２位置に位置する際に前記導電端子のコンタクト部が露出され、相手コネクタの導電端子への電気的な接続を達成できるシャッターと、
前記絶縁本体の嵌合凹部内に配置され、前記絶縁本体とシャッターとの一方に保持される保持部と、前記シャッターに対して斜めに延在し、前記絶縁本体とシャッターとの他方に支持される支持部と、前記保持部及び支持部を連接する弾性部とを含み、前記シャッターが前記第１位置と第２位置との間に摺動する際に前記支持部は前記絶縁本体或はシャッターに摺動するとともに、前記保持部に対して運動すると、前記シャッターに押圧力を加え、該押圧力によりシャッターを第２位置から第１位置の向きに摺動するように付勢する弾性部材と
を含むことを特徴とするシャッター付きコネクタ。
【請求項１６】
前記絶縁本体には、前記側壁に連接する端壁と、前記底壁から嵌合凹部に上向きに延在して形成される少なくとも一つの舌片と、が設けられ、前記導電端子が前記舌片に装着されることを特徴とする請求項１５に記載のシャッター付きコネクタ。
【請求項１７】
前記シャッター付きコネクタは前記絶縁本体を覆う金属シェルを有し、該金属シェルに前記シャッターが絶縁本体から離脱することを防止できるのに用いられる当接部が形成されることを特徴とする請求項１５に記載のシャッター付きコネクタ。
【請求項１８】
前記絶縁本体の側壁には、前記嵌合凹部に連通する収容溝が形成され、前記シャッターは、前記収容溝内に浮動して収容される耳部を有し、前記当接部が前記耳部に当接できることを特徴とする請求項１７に記載のシャッター付きコネクタ
【請求項１９】
前記弾性部材の弾性部は、ヘリカル状を呈し、ヘリカルの延在する方向がシャッターの摺動方向と同じでなく、前記保持部と支持部とが前記弾性部からそれぞれ延在することを特徴とする請求項１５記載のシャッター付きコネクタ。
【請求項２０】
前記保持部は、前記弾性部の末端から延在して形成する押圧アームであり、前記絶縁本体の底壁に形成される溝穴を押圧し、前記支持部は前記シャッターを押圧し、且つ前記シャッターが前記第２位置する際に前記シャッターと嵌合凹部の底面との間に位置することを特徴とする請求項１９記載のシャッター付きコネクタ。
【請求項２１】
前記保持部の前記弾性部と遠離する一端に折曲部が形成され、前記溝穴に前記折曲部に対応する階段部が形成され、該階段部の頂面から絶縁本体の底面までの距離は、前記溝穴の底面から絶縁本体の底面までの距離より大きいことを特徴とする請求項２０記載のシャッター付きコネクタ。
【請求項２２】
前記支持部は略コ形状を呈し、前記弾性部の中部に位置し、前記シャッターには、前記支持部が摺動するのに用いられる摺動通道が形成されることを特徴とする請求項２１記載のシャッター付きコネクタ。
【請求項２３】
前記静止部の摺動溝はシャッター付きコネクタの嵌合方向に沿って延伸される垂直部と、前記嵌合方向に正交する方向に沿って延伸される水平部とを含み、前記水平部が形成される上下壁が係止部として使用されることを特徴とする請求項２２記載のシャッター付きコネクタ。
【請求項２４】
前記弾性部材は、前記絶縁本体に位置する軸を有し、該軸が前記弾性部を通過することを特徴とする請求項１９記載のシャッター付きコネクタ。
【請求項２５】
前記絶縁本体の側壁には、前記嵌合凹部に連通する軸孔が形成され、前記弾性部材の軸が前記軸孔に支持されることを特徴とする請求項２４に記載のシャッター付きコネクタ。
【請求項２６】
前記絶縁本体には、金属シェルが覆われ、前記金属シェルが前記軸孔の前記側壁の外面に形成される開口を覆うことを特徴とする請求項２５記載のシャッター付きコネクタ。
【請求項２７】
前記弾性部材は、弾性片であり、該弾性片の一端が前記絶縁本体とシャッターとの一方に保持され、他端が前記絶縁本体とシャッターとの他方に保持され、該弾性片は、前記嵌合凹部に斜めに延在することを特徴とする請求項１５記載のシャッター付きコネクタ。
【考案の詳細な説明】
【技術分野】
【０００１】
本考案はコネクタに関し、特にシャッター付き電気コネクタに関するものである。
【背景技術】
【０００２】
ノートブック型パソコン等の電子機器に外部機器を接続するために、それら電子機器及び外部機器のそれぞれには、互いに嵌合するコネクタが設置されるのが一般的である。そして、ノートブック型パソコン等の電子機器にあっては、外部機器が接続されていない状態では、相手コネクタが嵌合するための、コネクタの嵌合凹部に異物が入り込み、コネクタのコンタクトに付着するおそれがあって、更に、相手コネクタとの嵌合時に電気的な接続が妨げられる恐れがある。
【０００３】
前記問題を解決するために、今、業界では、コネクタに異物の侵入を防止し、非嵌合時、コネクタの嵌合凹部を閉止するシャッターを設けることが必要である。シャッター付きコネクタは、嵌合の押圧によりシャッターがコネクタに対して運動する形式によって、電気コネクタの両側の向きに移動できる、及び、コネクタの嵌合凹部へスライド嵌合する二種のタイプに分類されている。
【０００４】
特許文献１に示すコネクタのシャッターは、非嵌合時にコネクタの嵌合凹部を閉止して、嵌合する際に相手コネクタの押圧により、該シャッターがコネクタの嵌合凹部の底部へスライド嵌合して該嵌合凹部を露出させるために、相手コネクタに嵌合することを達成できる。
【特許文献１】特開２００３-１７３８４１号公報
【考案の開示】
【考案が解決しようとする課題】
【０００５】
しかしながら、その中の一種のコネクタに取り付けられるシャッターは、非嵌合時にコネクタの嵌合凹部を閉止して、嵌合する際に相手コネクタの嵌合の押圧により、前記シャッターがコネクタの両側に移動する場合で、移動されるシャッターが回路基板の空間を使用して、回路基板の線路配置が制限される問題がある。同時に、前記コネクタの両側に移動されるシャッターは容易に損傷する問題がある。
【０００６】
特許文献１に示すコネクタは、シャッターがつるまきバネにより非嵌合時にコネクタの嵌合凹部を閉止して、嵌合する際に相手コネクタの押圧により、該シャッターがコネクタの嵌合凹部へスライド移動し、前記つるまきバネを押圧して変形させる。前記コネクタの嵌合凹部が前記つるまきバネを収容することで、該嵌合凹部が形成される絶縁本体の高さが増えることが必要である。だが、電子製品には、短く、小さく、軽く、薄くなどの厳しい要求があって、絶縁本体の高さが増えるのでコネクタの整体の高さも高くなるのが必然であり、したがって、コネクタの小型化に限界が生じていた。
【０００７】
そこで、従来の技術の不足点を改善したシャッター付きコネクタを開発する必要がある。
【０００８】
本考案は、シャッターがコネクタの嵌合凹部の底面へ摺動でき、嵌合凹部を有する絶縁本体の高さが減少するシャッター付きコネクタを提供することを目的とする。
【課題を解決するための手段】
【０００９】
本考案の電気コネクタは、絶縁本体と、導電端子と、シャッターと、弾性部材とを含む。前記絶縁本体は、底壁と、該底壁から上向きに延在する平行な一対の側壁とを有し、一対の側壁の間に相手コネクタを収容するのに用いられ、開口を有する嵌合凹部が形成される。前記導電端子は前記絶縁本体内に装着され、前記嵌合凹部に露出するコンタクト部を有する。前記シャッターは、前記絶縁本体の嵌合凹部の開口に位置する第１位置と、前記嵌合凹部の底面に位置する第２位置との間で摺動でき、前記第１位置に位置する際に前記開口が閉じられ、前記第２位置に位置する際に前記導電端子のコンタクト部が露出され、相手コネクタの導電端子への電気的な接続を達成できる。前記弾性部材は、前記絶縁本体の嵌合凹部内に配置され、前記絶縁本体とシャッターとの一方に保持される保持部と、前記シャッターに対して斜めに延在し、前記絶縁本体とシャッターとの他方に支持される支持部と、前記保持部及び支持部を連接する弾性部とを含み、前記支持部が前記保持部に対して回動することにより、前記弾性部が前記シャッターに押圧力を加え、該押圧力によりシャッターを第２位置から第１位置の向きに摺動するように付勢する。
【考案の効果】
【００１０】
従来技術に比べ、本考案は以下の利点を有する。シャッター付きコネクタのシャッターを駆動するのに用いられる弾性部材は、弾性部のヘリカルの延在する方向がシャッターの摺動方向と同じでないとともに、支持部の運動の許容される範囲が大きいことで、シャッターが下向きに摺動する時に、弾性部材が嵌合凹部の小さい空間だけを占めることで、前記シャッターを嵌合凹部の底面になるべく近接させ、嵌合凹部の深さが減少し、更にシャッター付きコネクタの絶縁本体の高さが減少する。
【考案を実施するための最良の形態】
【００１１】
本考案に係るシャッター付きコネクタ（以下単にコネクタという）は、相手コネクタと電気的に接続できることにより、両コネクタの間の信号の伝送を達成できる。本考案の一実施例において、図１〜図８に示すようなコネクタは、絶縁本体１と、該絶縁本体内１に装着される導電端子２と、弾性部材３と、シャッター４と、金属シェル５と、を含む。
【００１２】
図１〜図４を参照して、前記絶縁本体１は、長手方向に延びる略矩形状体で形成され、底壁と、該底壁から上向きに延在する平行な一対の側壁１１と、相手コネクタ（図示せず）をガイドするための案内孔１２０がそれぞれ形成される一対の端壁１２と、を有し、前記側壁１１と、端壁１２と、底壁とは、開口を有する嵌合凹部１３を包囲して形成し、前記嵌合凹部１３内に底壁から上向きに延在して形成される一対の平行な舌片１４を収容する。
【００１３】
前記端壁１２の内側には、前記嵌合凹部１３に連通する収容溝１１２がそれぞれ形成される。前記側壁１１には、頂面に複数の第１係止溝１１４と、複数の第２係止溝１１５とが形成され、外側の底壁に近接する箇所に、複数のスリット１１６と、Ｔ字形状を呈する複数の嵌合凸部１１７とが形成され、内側に、前記嵌合凹部１３に連通する受容溝１１３と、前記収容溝１１２に連通する二対の軸孔１１１とが形成される。前記各対の軸孔１１１は、少なくとも一つの軸孔１１１が側壁１１を貫通する通孔である。前記底壁は、前記嵌合凹部１３に位置し、下向きに突設して形成される支持台１５を有し、前記舌片１４と側壁１１との間の底壁には、階段部を有する溝穴１６が形成される。
【００１４】
図１及び図３に示すように、前記導電端子２は、前記絶縁本体１の舌片１４の両側に形成される端子溝（参照符号なし）に装着され、前記嵌合凹部１３に露出されるコンタクト部２１と、回路基板（図示せず）に半田付けされる半田付け部２２と、を含む。
【００１５】
前記金属シェル５は、長手状の金属板からなり、前記絶縁本体１の側壁１１を覆う基体と、該基体から垂直に折曲延在する第１係止部５２及び第２係止部５３と、前記基体から下向きに延在する複数の嵌合片５４と、複数の嵌合片５４の間に形成される嵌合口５５と、を含む。前記第１係止部５２が前記絶縁本体１の側壁１１に形成される第１係止溝１１４に係合でき、前記第２係止部５３が前記側壁１１に形成される第２係止溝１１５に係合でき、前記嵌合片５４が絶縁本体１の側壁１１に形成されるスリット１１６に収容され、嵌合口５５に前記側壁１１に形成されるＴ字形状を呈する嵌合凸部１１７を係止して収容し、これらにより、該金属シェル５が前記絶縁本体１に係合している。
【００１６】
図４と、図５及び図７を参照して、前記弾性部材３は、前記絶縁本体１の側壁１１に形成される軸孔１１１に保持される軸３１と、捻りバネ３２とを含み、前記捻りバネ３２は、ヘリカル状を呈する弾性部３２１と、保持部と、支持部３２３とを含み、前記保持部は前記弾性部３２１の両末端から延在して形成する押圧アーム３２２であり、前記支持部３２３は、略コ形状を呈し、前記弾性部３２１の中間部から外側の向きに延在して形成され、前記押圧アーム３２２との間が鋭角を呈する。
【００１７】
前記弾性部材３は、前記軸３１が、一側壁１１に形成される軸孔１１１と、弾性部３２１と、他側壁１１に形成される軸孔１１１とを次々に通過することにより、前記収容溝１１２に取り付けられ、前記捻りバネ３２が前記舌片１４の長手方向の端部の収容溝１１２に収容され、同時に、前記弾性部３２１は前記絶縁本体１の底壁に形成される支持台１５に接触し、前記押圧アーム３２２は、前記底壁に形成される階段部（参照符号なし）を有する溝穴１６に押圧されて収容される。
【００１８】
前記階段部は溝穴１６の前記弾性部３２１と遠離する一端に形成され、該階段部の頂面から絶縁本体１の底面までの距離は、前記溝穴１６の底面から絶縁本体１の底面までの距離より大きいことで、強い作用力を受けることができ、そこで、前記押圧アーム３２２が前記溝穴１６内に押圧される時、該溝穴１６の底面を破損することが容易ではない。図７に示すように、前記押圧アーム３２２は、前記弾性部３２１との高さが同じであるために、その末端に前記階段部に対応する折曲部（参照符号なし）が配置される。前記コ形状を呈する支持部３２３は、前記一対の舌片１４の間に延在する延伸アーム３２４と、該延伸アーム３２４の末端に形成される接触部３２５と、を有する。
【００１９】
図８を参照して、前記シャッター４は、板体部４１と、該板体部４１の長手方向の末端に配置される耳部４２と、前記板体部４１の長手方向の両側に前記絶縁本体１に形成される受容溝１１３に摺動可能に収容されるガイド部４３と、を含み、前記板体部４１の中間に前記一対の舌片１４がそれぞれ通過される一対の通溝４４が配置される。前記板体部４１の一対の通溝４４の間の箇所には、前記弾性部材３の接触部３２５が摺動するのに用いられる摺動通道４１１が形成され、且つ板体部４１の両端部に前記摺動通道４１１に突設する係止凸部４１２がそれぞれ形成され、前記耳部４２の上表面が前記板体部４１の上表面より低く、前記両表面の階差が前記金属シェル５の厚さとほぼ同じである。
【００２０】
図１と図３を参照して、前記シャッター４は、前記絶縁本体１の嵌合凹部１３の開口に位置する第１位置すなわち非嵌合状態と、前記嵌合凹部１３の底面に位置する第２位置すなわち嵌合状態と、を有する。該シャッター４が前記第１位置に位置する際に、その耳部４２とガイド部４３とは、前記側壁１１に形成され、嵌合凹部１３に連通する収容溝１１２と受容溝１１３内にそれぞれ浮動して収容され、前記通溝４４が前記舌片１４に対応している。
【００２１】
前記弾性部材３は、支持部３２３の接触部３２５が前記摺道通道４１１の末端に位置する係止凸部４１２に押圧されることにより、シャッター４を支持している。前記金属シェル５の基体が絶縁本体１の側壁１１に形成される軸孔１１１を覆うことにより、前記弾性部材３の軸３１の左右方向に向かう運動が制限される。前記金属シェル５の長手方向の端部には、シャッター４の耳部４２に当接できる当接部５１がそれぞれ配置され、前記シャッター４は、金属シェル５の当接部５１と弾性部材３の接触部３２５との間に挟まれ、更に前記絶縁本体１の嵌合凹部１３の開口を覆っている。
【００２２】
前記コネクタ１００が相手コネクタ（図示せず）に嵌合する際に、相手コネクタの案内柱が該コネクタ１００の端壁１２に形成される案内孔１２０に挿入され、両コネクタの嵌合を案内している。相手コネクタの嵌合部が前記シャッター４に押圧力を加えることで、前記シャッター４をコネクタ１００の嵌合凹部１３の底面の向きに摺動させる。前記相手コネクタの案内柱が前記案内孔１２０に次第に挿入される過程で、前記嵌合部が前記コネクタ１００の嵌合凹部１３に次第に挿入されるのに従って、前記コネクタ１００の舌片１４がシャッター４の通溝４４を通過すると、導電端子２のコンタクト部２１が露出されて、更に、相手コネクタの相手導電端子への電気的な接続を達成できる。同時に、前記シャッター４の耳部４２及びガイド部４３は前記収容溝１１２及び受容溝１１３にそれぞれ下向きに摺動するとともに、前記弾性部材３の延伸アーム３２４は、弾性部３１により押圧アーム３２２に対して回動し、接触部３２５が前記シャッター４の摺動通道４１１の中部の向きに摺動している。
【００２３】
前記相手コネクタがコネクタ１００の嵌合凹部１３に更に挿入されるのに従って、シャッター４に加える押圧力が大きくなることで、該シャッター４は嵌合凹部１３の底面に摺動して続いて、この過程で、前記弾性部材３の支持部３２３が嵌合凹部１３の底面に回動して続いているとともに、弾性部３２１の変形を生じたことで、弾性部材３は、前記接触部３２５を通じてシャッター４に加える作用力が次第に大きくなる。両コネクタの嵌合終了状態で、前記弾性部材３の支持部３２３は前記シャッター４と嵌合凹部１３の底面との間に完全に貼り付き、この時、前記シャッター４が第２位置に位置している。前記弾性部材３により、前記シャッター４が前記第２位置から第１位置の向きに摺動するように付勢される。
【００２４】
本考案に係るコネクタ１００のシャッター４を駆動するのに用いられる弾性部材３は弾性部３１のヘリカルの延在する方向がシャッター４の摺動方向と同じでないとともに、支持部３２３の運動の許容される範囲が大きいことで、シャッター４が下向きに摺動する時に、弾性部材３が嵌合凹部１３の小さい空間だけを占めることで、前記シャッター４を嵌合凹部１３の底面になるべく近接させ、嵌合凹部１３の深さが減少し、更に、コネクタ１００の絶縁本体１の高さが減少する。
【００２５】
コネクタ１００と相手コネクタとの嵌合が解除される時、前記シャッター４に加える相手コネクタからの押圧力が解除され、弾性部材３は上方向に向かう付勢力により、接触部３２５を通じて該シャッター４に回復力を加え、更に、該シャッター４が第１位置に回復して嵌合凹部１３を閉じることになる、この過程で、前記金属シェル５の当接部５１により、シャッター４が絶縁本体１の嵌合凹部１３から離脱することを防止できる。
【００２６】
＜他の実施例＞本考案は上記記述及び図面によって説明した実施例に限定されるものではなく、例えば次のような実施態様も本考案の技術的範囲に含まれ、さらに、下記以外にも要旨を逸脱しない範囲内で種々変更して実施することができる。
【００２７】
（１）上記実施例において、前記弾性部材３の軸３１は、前記絶縁本体１の側壁１１に一体に形成され、その一端が側壁１１に一体に形成され、他端が片持ち梁を呈することができる。
【００２８】
（２）上記実施例において、前記弾性部材３を弾性片で置換でき、該弾性片の一端は絶縁本体１とシャッター４との任意の一方に保持され、他端は前記絶縁本体１とシャッター４との他方に保持される。該弾性片はシャッター４に対して、嵌合凹部１３に斜めに延在する。
【００２９】
（３）上記実施例において、前記弾性部材３をシャッター４の底面に保持でき、前記軸３１がシャッター４の底面に取り付けられ、弾性部３２１を通過し、前記支持部３２３が嵌合凹部１３の底面に押圧する。前記シャッター４が前記第１位置と第２位置との間に摺動する際に、前記支持部３２３が前記嵌合凹部１３の底面に摺動できる。
【００３０】
以上本考案についてよい実施の形態を参照して詳細に説明したが、実施形態はあくまでも例示的なものであり、これらに限定されるものではない。また前記の説明は、本考案に基づきなしうる細部の修正或は変更など、いずれも本考案の請求範囲に属するものとする。
【図面の簡単な説明】
【００３１】
【図１】本考案に係るシャッター付きコネクタの分解斜視図である。
【図２】本考案に係るシャッター付きコネクタの他角度から見る分解斜視図である。
【図３】本考案に係るシャッター付きコネクタの組立斜視図である。
【図４】図１に示すシャッター付きコネクタの部分の拡大図である。
【図５】図２に示すシャッター付きコネクタの部分の拡大図である。
【図６】図５に示すシャッター付きコネクタが捻りバネを取り付けない部分の拡大図である。
【図７】本考案に係るシャッター付きコネクタの捻りバネの組立斜視図である。
【図８】本考案に係るシャッター付きコネクタのシャッターの斜視図である。
【符号の説明】
【００３２】
１００  シャッター付きコネクタ
１  絶縁本体
２  導電端子
３  弾性部材
４  シャッター
５  金属シェル
１１  側壁
１２  端壁
１３  嵌合凹部
１４  舌片
１５  支持台
１６  溝穴
２１  コンタクト部
２２  半田付け部
３１  軸
３２  捻りバネ
４１  板体部
４２  耳部
４３  ガイド部
４４  通溝
５１  当接部
５２  第１係止部
５３  第２係止部
５４  嵌合片
５５  嵌合口
１１１  軸孔
１１２  収容溝
１１３  受容溝
１１４  第１係止溝
１１５  第２係止溝
１１６  スリット
１１７  嵌合凸部
１２０  案内孔
３２１  弾性部
３２２  押圧アーム
３２３  支持部
３２４  延伸アーム
３２５  接触部
４１１  摺動通道
４１２  係止凸部
【図１】
0003114955.tif 000003
【図２】
0003114955.tif 000004
【図３】
0003114955.tif 000005
【図４】
0003114955.tif 000006
【図５】
0003114955.tif 000007
【図６】
0003114955.tif 000008
【図７】
0003114955.tif 000009
【図８】
0003114955.tif 000010